(57)【特許請求の範囲】
【請求項１】
ＩＰ電話を利用する通信網に接続して災害用伝言サーバと通信可能であり、アナログ電話装置が接続されたホームゲートウェイ装置であって、
停電復旧時に自動で前記災害用伝言サーバへの発信を前記アナログ電話装置に指示する発信指示部と、
前記災害用伝言サーバから再生された伝言メッセージを保存するメッセージ保存部と、
ユーザの操作に応じて前記メッセージ保存部に保存された伝言メッセージを再生するメッセージ再生部と、を備えるホームゲートウェイ装置。
【請求項２】
前記発信指示部が発信を指示しても前記災害用伝言サーバと通信できなかった場合に、所定時間後に再度前記災害用伝言サーバへの発信を前記アナログ電話装置に指示する再発信指示部をさらに備える、
請求項１に記載のホームゲートウェイ装置。
【請求項３】
前記ユーザの操作に応じて前記メッセージ保存部に保存された伝言メッセージを消去するメッセージ消去部をさらに備える、
請求項１又は２に記載のホームゲートウェイ装置。
【請求項４】
前記メッセージ再生部が、前記ユーザの操作に応じて前記メッセージ保存部に保存された伝言メッセージを前記アナログ電話装置から再生する、
請求項１〜３のいずれか一項に記載のホームゲートウェイ装置。
【請求項５】
ホームゲートウェイ装置として動作するコンピュータに、
停電復旧時に自動で災害用伝言サーバへの発信をアナログ電話装置に指示する工程と、
前記災害用伝言サーバから再生された伝言メッセージを保存する工程と、
ユーザの操作に応じて保存された前記伝言メッセージを再生する工程と、
を実行させる、プログラム。
【請求項６】
災害時に伝言メッセージが登録される災害用伝言サーバと、
インターネットに接続可能であり、かつ、ＩＰ電話を利用する通信網に接続して前記災害用伝言サーバと通信可能なホームゲートウェイ装置と、
前記ＩＰ電話を制御するＳＩＰサーバと、
前記ホームゲートウェイ装置に接続されているアナログ電話装置と、を備え、
前記アナログ電話装置が、停電復旧時に前記ホームゲートウェイ装置の指示に応じて前記ＳＩＰサーバを介して前記災害用伝言サーバに発信し、
前記ホームゲートウェイ装置が、前記災害用伝言サーバから再生された伝言メッセージを保存し、ユーザの操作に応じて保存された前記伝言メッセージを再生する、
伝言メッセージ確認システム。
【請求項７】
前記アナログ電話装置が停電復旧時に発信しても前記災害用伝言サーバと通信できなかった場合に、前記ホームゲートウェイ装置が、所定時間後に再度前記災害用伝言サーバへの再発信を前記アナログ電話装置に指示する、
請求項６に記載の伝言メッセージ確認システム。
【請求項８】
ホームゲートウェイ装置が、停電復旧時に自動で災害用伝言サーバへの発信をアナログ電話装置に指示する工程と、
前記アナログ電話装置が、前記ホームゲートウェイ装置からの指示を受けてＳＩＰサーバを介して前記災害用伝言サーバに発信する工程と、
前記ホームゲートウェイ装置が、前記災害用伝言サーバから再生された伝言メッセージを保存する工程と、
前記アナログ電話装置が、ユーザの操作に応じて前記ホームゲートウェイ装置に保存された前記伝言メッセージを再生する工程と、
を備える、伝言メッセージ確認方法。
【発明の詳細な説明】
【技術分野】
【０００１】
本発明は、ホームゲートウェイ装置、プログラム、伝言メッセージ確認システム、及び伝言メッセージ確認方法に関する。
【背景技術】
【０００２】
災害発生時に開設される災害用伝言ダイヤルを使用した安否確認が広く行われている。ユーザは、災害用伝言ダイヤルに電話をかけてガイダンスに応じた操作を行うことによって、当該ユーザ宛てに保管された伝言メッセージを災害用伝言サーバから取得して再生することができる。
【０００３】
例えば特許文献１には、予め登録された対象者の登録伝言を取得するために繰り返し自動で電話をかけて当該登録伝言をテキストデータに変換して管理画面に表示する技術が開示されている。
【先行技術文献】
【特許文献】
【０００４】
【特許文献１】特開２００８−１４８１８８号公報
【発明の概要】
【発明が解決しようとする課題】
【０００５】
近年、家庭用電話装置として光回線を使用したＩＰ電話装置が普及している。光回線を使用したＩＰ電話装置は、ホームゲートウェイ装置と、当該ホームゲートウェイ装置に接続されたアナログ電話装置と、を備える。ユーザは、災害発生時にアナログ電話装置を操作して光回線を介して災害用伝言ダイヤルに発信し、当該ユーザ宛ての伝言メッセージを取得して再生することができる。
【０００６】
災害用伝言サーバは、通常、伝言メッセージの保管期間を定めている。したがって、ユーザは、伝言メッセージの保管期間内に災害用伝言ダイヤルに電話をかけて伝言メッセージの確認を行う必要がある。しかしながら、例えばユーザが避難して自宅にいない場合には、伝言メッセージの保管期間内に災害用伝言ダイヤルに発信することができない。このため、災害用伝言サーバの伝言メッセージ保管期間終了後であってもユーザが伝言メッセージを再生することができるホームゲートウェイ装置が求められている。
【０００７】
本発明は、このような問題に鑑みなされたものであり、災害用伝言ダイヤルの伝言メッセージ保管期間終了後であってもユーザが伝言メッセージを確認することができるホームゲートウェイ装置、プログラム、伝言メッセージ確認システム、及び伝言メッセージ確認方法を提供することを目的とする。
【課題を解決するための手段】
【０００８】
本発明の一態様に係るホームゲートウェイ装置は、
ＩＰ電話を利用する通信網に接続して災害用伝言サーバと通信可能であり、アナログ電話装置が接続されたホームゲートウェイ装置であって、
停電復旧時に自動で前記災害用伝言サーバへの発信を前記アナログ電話装置に指示する発信指示部と、
前記災害用伝言サーバから再生された伝言メッセージを保存するメッセージ保存部と、
ユーザの操作に応じて前記メッセージ保存部に保存された伝言メッセージを再生するメッセージ再生部と、を備える。
【０００９】
本発明の一態様に係るプログラムは、
ホームゲートウェイ装置として動作するコンピュータに、
停電復旧時に自動で災害用伝言サーバへの発信をアナログ電話装置に指示する工程と、
前記災害用伝言サーバから再生された伝言メッセージを保存する工程と、
ユーザの操作に応じて保存された前記伝言メッセージを再生する工程と、
を実行させる。
【００１０】
本発明の一態様に係る伝言メッセージ確認システムは、
災害時に伝言メッセージが登録される災害用伝言サーバと、
インターネットに接続可能であり、かつ、ＩＰ電話を利用する通信網に接続して前記災害用伝言サーバと通信可能なホームゲートウェイ装置と、
前記ＩＰ電話を制御するＳＩＰサーバと、
前記ホームゲートウェイ装置に接続されているアナログ電話装置と、を備え、
前記アナログ電話装置が、停電復旧時に前記ホームゲートウェイ装置の指示に応じて前記ＳＩＰサーバを介して前記災害用伝言サーバに発信し、
前記ホームゲートウェイ装置が、前記災害用伝言サーバから再生された伝言メッセージを保存し、ユーザの操作に応じて保存された前記伝言メッセージを再生する。
【００１１】
本発明の一態様に係る伝言メッセージ確認方法は、
ホームゲートウェイ装置が、停電復旧時に自動で災害用伝言サーバへの発信をアナログ電話装置に指示する工程と、
前記アナログ電話装置が、前記ホームゲートウェイ装置からの指示を受けてＳＩＰサーバを介して前記災害用伝言サーバに発信する工程と、
前記ホームゲートウェイ装置が、前記災害用伝言サーバから再生された伝言メッセージを保存する工程と、
前記アナログ電話装置が、ユーザの操作に応じて前記ホームゲートウェイ装置に保存された前記伝言メッセージを再生する工程と、
を備える。
【発明の効果】
【００１２】
本発明によれば、災害用伝言ダイヤルの伝言メッセージ保管期間終了後であってもユーザが伝言メッセージを確認することができるホームゲートウェイ装置、プログラム、伝言メッセージ確認システム、及び伝言メッセージ確認方法を提供することができる。
【図面の簡単な説明】
【００１３】
【図１】第１の実施形態に係る伝言メッセージ確認システムの構成を示すブロック図である。
【図２】第１の実施形態に係るホームゲートウェイ装置の構成を示すブロック図である。
【図３】メッセージ保存部に保存された伝言メッセージの一例である。
【図４】第２の実施形態に係るホームゲートウェイ装置の構成を示すブロック図である。
【図５】停電復旧時における、第２の実施形態に係るホームゲートウェイ装置の動作例を示すフローチャートである。
【図６】災害用伝言サーバに接続できなかった場合における、第２の実施形態に係るホームゲートウェイ装置の動作例を示すフローチャートである。
【図７】伝言メッセージの有無を判断する際における、第２の実施形態に係るホームゲートウェイ装置の動作例を示すフローチャートである。
【図８】メッセージ保存部に伝言メッセージを保存する際における、第２の実施形態に係るホームゲートウェイ装置の動作例を示すフローチャートである。
【図９】スピーカから伝言メッセージを再生する際における、第２の実施形態に係るホームゲートウェイ装置の動作例を示すフローチャートである。
【図１０】アナログ電話装置から伝言メッセージを再生する際における、第２の実施形態に係るホームゲートウェイ装置の動作例を示すフローチャートである。
【図１１】伝言メッセージを消去する際における、第２の実施形態に係るホームゲートウェイ装置の動作例を示すフローチャートである。
【発明を実施するための形態】
【００１４】
以下、本発明を適用した具体的な実施の形態について、図面を参照しながら詳細に説明する。ただし、本発明が以下の実施の形態に限定される訳ではない。また、説明を明確にするため、以下の記載及び図面は、適宜、簡略化されている。
【００１５】
（第１の実施形態）
まず、図１を参照して、本発明の第１の実施形態に係る伝言メッセージ確認システムの構成について説明する。図１は、第１の実施形態に係る伝言メッセージ確認システムの構成を示すブロック図である。図１に示すように、伝言メッセージ確認システム３００は、ホームゲートウェイ装置１００、通信網３０１、ＳＩＰサーバ３０２、災害用伝言サーバ３０３、及びアナログ電話装置３０４を備える。
【００１６】
ホームゲートウェイ装置１００は、光回線を利用して通信網３０１に接続可能なルータであり、ＩＰ電話を行うことができる。通信網３０１は、インターネット網であり、かつ、ＩＰ電話の契約回線である。ＳＩＰサーバ３０２は、端末間におけるセッション通信を確立するための通信プロトコルであるＳＩＰ（Session Initiation Protocol）を制御することによって、当該ＩＰ電話を制御している。ホームゲートウェイ装置１００には、アナログ電話装置３０４が接続されている。ユーザは、アナログ電話装置３０４を操作することによってホームゲートウェイ装置１００を通信網３０１に接続してＩＰ電話を行う。
【００１７】
災害用伝言サーバ３０３は、災害時に登録された伝言メッセージを保管するサーバである。災害時には、災害用伝言ダイヤルが開設され、ユーザがアナログ電話装置３０４を操作して当該災害用伝言ダイヤルに発信すると、ホームゲートウェイ装置１００は、通信網３０１に接続されてＳＩＰサーバ３０２を介して災害用伝言サーバ３０３と通信を行う。災害用伝言サーバ３０３は、アナログ電話装置３０４からの発信を受けると、アナログ電話装置３０４にガイダンスを送信する。
【００１８】
ユーザは、当該ガイダンスに沿ってアナログ電話装置３０４を操作することによって、災害用伝言サーバ３０３に他のユーザ宛てに伝言メッセージを登録することができる。また、ユーザは、当該ガイダンスに沿ってアナログ電話装置３０４を操作することによって、災害用伝言サーバ３０３から当該ユーザ宛ての伝言メッセージを受け取って再生することができる。
【００１９】
伝言メッセージ確認システム３００は、図１に示した構成に加えて、図示しない制御ＰＣを備えていてもよい。制御ＰＣは、ホームゲートウェイ装置１００に接続されている。ユーザは、制御ＰＣを操作することによって、ホームゲートウェイ装置１００の設定を変更等することができる。
【００２０】
次に、図２及び図３を参照して、ホームゲートウェイ装置１００の構成について説明する。図２は、第１の実施形態に係るホームゲートウェイ装置の構成を示すブロック図である。図３は、メッセージ保存部に保存された伝言メッセージの一例である。図２に示すように、ホームゲートウェイ装置１００は、発信指示部１０１、メッセージ保存部１０２、及びメッセージ再生部１０３を備える。また、ホームゲートウェイ装置１００は、通常、図示しない判断部を備える。
【００２１】
発信指示部１０１は、災害用伝言サーバ３０３への発信を行うようにアナログ電話装置３０４に指示する。発信指示部１０１は、アナログ電話装置３０４への発信指示を停電復旧時に自動で行う。災害用伝言サーバ３０３は、アナログ電話装置３０４からの発信を受けると、ガイダンスを返信する。ガイダンスは、通常音声で行われる。図示しない判断部は、災害用伝言サーバ３０３から送信されたガイダンスに基づいてユーザ宛ての伝言メッセージの有無を判断する。
【００２２】
判断部は、ユーザ宛ての伝言メッセージが有った場合、当該伝言メッセージを再生する操作を行う指示をアナログ電話装置３０４に指示する。アナログ電話装置３０４は、判断部からの指示を受けて、当該伝言メッセージを再生する操作を行う。災害用伝言サーバ３０３は、アナログ電話装置３０４が伝言メッセージを再生する操作を行うと、当該伝言メッセージを再生する。メッセージ保存部１０２は、災害用伝言サーバ３０３が再生したユーザ宛ての伝言メッセージを保存する。
【００２３】
図３は、メッセージ保存部１０２に保存された伝言メッセージの一例である。図３に示すように、メッセージ保存部１０２は、災害用伝言サーバ３０３が再生した伝言メッセージと、当該伝言メッセージが登録された日時である預かり日時と、を保存している。メッセージ保存部１０２は、さらに、発信者電話番号、すなわちホームゲートウェイ装置１００の電話番号を保存している。
【００２４】
メッセージ再生部１０３は、メッセージ保存部１０２に保存された伝言メッセージをユーザの操作に応じて再生する。メッセージ再生部１０３は、自ら当該伝言メッセージを再生してもよいし、アナログ電話装置３０４に再生指示を出してアナログ電話装置３０４から当該伝言メッセージを再生してもよい。
【００２５】
このように、本発明の第１の実施形態に係るホームゲートウェイ装置は、自動で災害用伝言サーバ３０３に発信するため、ユーザがアナログ電話装置３０４を操作することなく、ユーザ宛ての伝言メッセージを保存することができる。したがって、災害用伝言サーバ３０３における伝言メッセージの保存期間が終了した後であっても、ユーザが当該伝言メッセージを確認することができる。
【００２６】
（第１の実施形態の変形例）
ホームゲートウェイ装置１００は、図２に示した構成に加えて、再発信指示部をさらに備えていてもよい。再発信指示部は、停電復旧時に発信指示部１０１がアナログ電話装置３０４に発信を指示しても災害用伝言サーバ３０３と通信できなかった場合に、災害用伝言サーバ３０３への発信を所定時間後にアナログ電話装置３０４に指示する。このように、再発信指示部がアナログ電話装置３０４に災害用伝言サーバ３０３への再発信を指示することによって、一度目の発信では災害用伝言サーバ３０３と通信できなかった場合であっても、ユーザ宛ての伝言メッセージをメッセージ保存部１０２に保存することができる。
【００２７】
また、ホームゲートウェイ装置１００は、図２に示した構成に加えて、メッセージ消去部をさらに備えていてもよい。メッセージ消去部は、ユーザの操作に応じてメッセージ保存部１０２に保存された伝言メッセージを消去する。ユーザがメッセージ消去部を操作して不要になった伝言メッセージを消去することによって、次なる伝言メッセージの保存に要するメッセージ保存部１０２の空き容量を確保することができる。
【００２８】
（第２の実施形態）
本発明の第２の実施形態は、より具体的な実施形態である。まず、図４を参照して、本発明の第２の実施形態に係るホームゲートウェイ装置の構成について説明する。図４は、第２の実施形態に係るホームゲートウェイ装置の構成を示すブロック図である。図４に示すように、ホームゲートウェイ装置２００は、制御回路１、回線制御回路２、ＳＩＰ制御回路３、メモリ回路４、音声検出再生回路５、ＤＴＭＦ制御回路６、タイマ７、アナログ制御回路８、通信制御回路９、ボタン制御回路１０、及びＬＥＤ制御回路１１を備える。ホームゲートウェイ装置２００は、さらに、スピーカ１２、ボタン１３、及びＬＥＤ１４を備える。なお、図４には、ホームゲートウェイ装置２００に加えて、アナログ電話装置３０４を図示している。
【００２９】
制御回路１は、ホームゲートウェイ装置２００が備える各回路の制御を行う。回線制御回路２は、通信網３０１に接続してＩＰ電話の回路の状態を監視して、制御回路１の指示によって回線制御を行う。ＳＩＰ制御回路３は、ＩＰ電話を開始する際にＳＩＰサーバ３０２と通信を行う。メモリ回路４は、災害用伝言サーバ３０３が再生した伝言メッセージ、当該伝言メッセージの預かり日時、及び発信者電話番号を保存する。音声検出再生回路５は、災害用伝言サーバ３０３から送信されたガイダンスの音声を検出する。また、音声検出再生回路５は、メモリ回路４に保存された伝言メッセージの再生をスピーカ１２に指示する。
【００３０】
ＤＴＭＦ制御回路６は、ホームゲートウェイ装置２００に接続されたアナログ電話装置３０４とＤＴＭＦ（Dual-Tone Multi-Frequency）の送受信を行う。以下、ＤＴＭＦをＰＢ（Push Button）信号と称することがある。タイマ７は、制御回路１の指示によって起動、停止する。ホームゲートウェイ装置２００は、通常、タイマ７を複数備える。アナログ制御回路８は、ホームゲートウェイ装置２００に接続されたアナログ電話装置３０４を制御する。通信制御回路９は、通信を制御する。
【００３１】
ボタン制御回路１０は、ボタン１３を制御する。ユーザは、ボタン１３を操作することによって、メモリ回路４に保存された伝言メッセージの再生及び消去を行う。ボタン１３は、通常、再生用と消去用との２種がある。ユーザは、再生用のボタン１３を操作することによって伝言メッセージの再生を行う。ユーザは、消去用のボタン１３を操作することによって伝言メッセージの消去を行う。
【００３２】
ＬＥＤ制御回路１１は、ＬＥＤ１４を制御する。ＬＥＤ１４は、ユーザ宛ての伝言メッセージがメモリ回路４に保存されていること等をユーザに通知する。ＬＥＤ１４は、ホームゲートウェイ装置２００の状態をあらわし、保存された伝言メッセージがある場合が緑点滅であり、災害用伝言サーバ３０３と通信中の場合が赤点滅であり、通信失敗の場合が赤点灯である。
【００３３】
次に、図５を参照して、本発明の第２の実施形態に係るホームゲートウェイ装置の停電復旧時における動作を説明する。図５は、停電復旧時における、第２の実施形態に係るホームゲートウェイ装置の動作例を示すフローチャートである。停電復旧時には、ホームゲートウェイ装置２００は、まず、ＳＩＰ制御回路３からＲＥＧＥＳＴＥＲメッセージをＳＩＰサーバ３０２に送信する。ＳＩＰサーバ３０２は、ＲＥＧＥＳＴＥＲメッセ―ジを受信すると、当該ＲＥＧＥＳＴＥＲを登録し、ＳＩＰ制御回路３にＯＫメッセージを送信する。
【００３４】
ＳＩＰ制御回路３がＳＩＰ制御回路３からＯＫメッセージを受信すると、制御回路１は、ＲＥＧＥＳＴＥＲ登録が成功したと判断する（ステップＳ４０１Ｙｅｓ）。ＲＥＧＥＳＴＥＲ登録が成功した場合、ホームゲートウェイ装置２００の電話番号を発信者電話番号としてメモリ回路４に保存する。ＳＩＰ制御回路３は、ＲＥＧＥＳＴＥＲメッセージを送信した後にＳＩＰサーバ３０２からＯＫメッセージを受信できなかった場合、制御回路１は、ＲＥＧＥＳＴＥＲ登録が成功しなかったと判断し（ステップＳ４０１Ｎｏ）、各部の動作を停止する。
【００３５】
ＲＥＧＥＳＴＥＲ登録に成功し、かつ、前回のＲＥＧＥＳＴＥＲ登録の成功から１時間以上経っている場合、ＳＩＰ制御回路３は、災害用伝言ダイヤルに発信する（ステップＳ４０２）。具体的には、制御回路１は、発信者電話番号がホームゲートウェイ装置２００の電話番号であり、着信電話番号が災害用伝言ダイヤルであるＩＮＶＩＴＥメッセージの作成をＳＩＰ制御回路３に指示する。ＳＩＰ制御回路３は、制御回路１の指示を受けると、メモリ回路４に保存されたホームゲートウェイ装置２００の電話番号を読み出してＩＮＶＩＴＥメッセージを生成し、通信網３０１に発信する。そして、制御回路１は、タイマ７を起動する（ステップＳ４０３）。
【００３６】
制御回路１は、ステップＳ４０２において送信したＩＮＶＩＴＥメッセージに対する返信をＳＩＰ制御回路３が受信しておらず、タイマ７が満了又はＳＩＰ制御回路３がＳＩＰサーバ３０２から切断メッセージを受信した場合、接続ＮＧと判断する（ステップＳ４０４Ｎｏ）。接続ＮＧである場合、制御回路１は、再発信処理（ステップＳ４０８）を行う。再発信処理（ステップＳ４０８）の詳細については、後に説明する。
【００３７】
制御回路１は、ＳＩＰ制御回路３がステップＳ４０２において送信したＩＮＶＩＴＥメッセージに対してＴｒｙｉｎｇメッセージ及びＯＫメッセージを受信すると、接続ＯＫと判断する（ステップＳ４０４Ｙｅｓ）。接続ＯＫである場合、制御回路１は、ＳＩＰ制御回路３にＳＩＰサーバ３０２に対してＡＣＫメッセージを送信することを指示する。ＳＩＰ制御回路３は、制御回路１の指示を受けて、ＳＩＰサーバ３０２にＡＣＫメッセージを送信する。
【００３８】
続いて、制御回路１は、アナログ電話装置３０４に通話パスの接続を指示し（ステップＳ４０５）、タイマ７を停止する（ステップＳ４０６）。このように、制御回路１は、第１の実施形態において説明した発信指示部１０１として動作する。次に、制御回路１は、メッセージ有無判定処理（ステップＳ４０７）を行う。メッセージ有無判定処理（ステップＳ４０７）の詳細については、後に説明する。
【００３９】
次に、図６を参照して、再発信処理（ステップＳ４０８）を詳細に説明する。図６は、災害用伝言サーバに接続できなかった場合における、第２の実施形態に係るホームゲートウェイ装置の動作例を示すフローチャートである。再発信処理（ステップＳ４０７）では、まず、接続ＮＧの要因が切断であるか否かを判断する（ステップＳ５０１）。
【００４０】
ステップＳ４０４においてＳＩＰ制御回路３がＳＩＰサーバ３０２から切断メッセージを受信したために接続ＮＧと判断した場合、制御回路１は、接続ＮＧの要因が切断であると判断する（ステップＳ５０１Ｙｅｓ）。接続ＮＧの要因が切断である場合（ステップＳ５０１Ｙｅｓ）、制御回路１は、タイマ７を１０分で動作するように設定する（ステップＳ５０２）。
【００４１】
ステップＳ４０４においてタイマ７が満了したために接続ＮＧと判断した場合、制御回路１は、接続ＮＧの要因が切断以外であると判断する（ステップＳ５０１Ｎｏ）。接続ＮＧの要因が切断以外である場合（ステップＳ５０１Ｎｏ）、ホームゲートウェイ装置２００から災害用伝言サーバ３０３までの通信経路が落ちている可能性を想定し、制御回路１は、タイマ７を６０分で動作するように設定する（ステップＳ５０８）。
【００４２】
次に、制御回路１は、図示しない再送カウンタに１を加算して設定する（ステップＳ５０３）。再送カウンタは、再発信処理を行った回数をカウントするための回路である。再送カウンタは予め最大値を設定して使用する。再送カウンタの最大値は、例えば３０である。次に、制御回路１は、ＬＥＤ制御回路１１にＬＥＤ１４の赤点滅を指示する。ＬＥＤ制御回路１１は、制御回路１の指示に応じてＬＥＤ１４を赤点滅する（ステップＳ５０４）。ユーザは、ＬＥＤ１４の赤点滅を確認することによって、ホームゲートウェイ装置２００が再発信処理を行っていることを認識する。
【００４３】
ステップＳ５０２又はステップＳ５０８において設定したタイマ７が満了する（ステップＳ５０５Ｙｅｓ）と、ステップＳ５０３において設定した再送カウンタが最大値である場合（ステップＳ５０６Ｙｅｓ）、制御回路１は、ＬＥＤ制御回路１１にＬＥＤ１４の赤点灯を指示する。ＬＥＤ制御回路１１は、制御回路１の指示に応じてＬＥＤ１４を赤点灯する（ステップＳ５０７）。ユーザは、ＬＥＤ１４の赤点灯を確認することによって、ホームゲートウェイ装置２００の再送カウンタが最大になっていることを認識する。
【００４４】
ステップＳ５０３において設定した再送カウンタが最大値以外である場合（ステップＳ５０６Ｎｏ）、図４に示すステップＳ４０２を再度実行する。このとき、制御回路１は、第１の実施形態において説明した再発信指示部として動作する。以上で説明したように、ホームゲートウェイ装置２００は、災害用伝言サーバ３０３への再発信を行う。
【００４５】
次に、図７を参照して、メッセージ有無判定処理（ステップＳ４０７）を詳細に説明する。図７は、伝言メッセージの有無を判断する際における、第２の実施形態に係るホームゲートウェイ装置の動作例を示すフローチャートである。
【００４６】
災害用伝言サーバ３０３は、アナログ電話装置３０４がステップＳ４０５において指示されたパス接続を実行すると、それに応じてガイダンスを送信する。ユーザが災害用伝言サーバ３０３に発信して伝言メッセージの有無を確認する場合、災害用伝言サーバ３０３から送られたガイダンスに従って所定のＰＢ信号（例えば「２」）を送出することによって、災害用伝言サーバ３０３に伝言メッセージの再生を指示することができる。
【００４７】
メッセージ有無判定（ステップＳ４０７）では、まず、ＤＴＭＦ制御回路６がアナログ電話装置３０４に所定のＰＢ信号の送出を指示する。アナログ電話装置３０４は、ＤＴＭＦ制御回路６の指示に応じて所定のＰＢ信号を送出する（ステップＳ６０１）。災害用伝言サーバ３０３は、所定のＰＢ信号を受信すると、発信者電話番号の送出を求めるガイダンスを送信する。音声検出再生回路５は、災害用伝言サーバ３０３が送信した当該ガイダンスを検出する（ステップＳ６０２）。
【００４８】
次に、制御回路１は、メモリ回路４に保存された発信者電話番号を読み出す。ＤＴＭＦ制御回路６は、アナログ電話装置３０４に読み出した発信者電話番号の送出を指示する。アナログ電話装置３０４は、ＤＴＭＦ制御回路６の指示に応じて発信者電話番号を送出する（ステップＳ６０３）。災害用伝言サーバ３０３は、発信者電話番号を受信すると、当該発信者電話番号宛ての伝言メッセージがある場合、当該伝言メッセージを再生するガイダンスを送信する。災害用伝言サーバ３０３は、当該発信者電話番号宛ての伝言メッセージがない場合、伝言メッセージがない旨を伝えるガイダンスを送信する。
【００４９】
音声検出再生回路５は、災害用伝言サーバ３０３が発信者電話番号の受信に応じて送信したガイダンスを検出する（ステップＳ６０４）。ガイダンスに伝言メッセージが含まれている場合（ステップＳ６０５Ｙｅｓ）、メモリ保存処理（ステップＳ６０８）を行う。メモリ保存処理（ステップＳ６０８）の詳細については、後に説明する。
【００５０】
ガイダンスに伝言メッセージが含まれていない場合（ステップＳ６０５Ｎｏ）、制御回路１は、ＬＥＤ制御回路１１にＬＥＤ１４の消灯を指示する。ＬＥＤ制御回路１１は、制御回路１の指示に応じてＬＥＤ１４を消灯する（ステップＳ６０６）。そして、ＳＩＰ制御回路３は、災害用伝言サーバ３０３との通信を切断する（ステップＳ６０７）。具体的には、ＳＩＰ制御回路３は、ＳＩＰサーバ３０２にＢＹＥメッセージを送信し、当該ＢＹＥメッセージに対してＳＩＰサーバ３０２から送信されるＡＣＫメッセージを受信することによって、災害用伝言サーバ３０３との通信を切断する。
【００５１】
次に、図８を参照して、メモリ保存処理（ステップＳ６０８）を詳細に説明する。図８は、メッセージ保存部に伝言メッセージを保存する際における、第２の実施形態に係るホームゲートウェイ装置の動作例を示すフローチャートである。メモリ保存処理（ステップＳ６０８）では、まず、ユーザ宛ての伝言メッセージが災害用伝言サーバ３０３にあるか否かを確認する（ステップＳ７０１）。
【００５２】
ユーザ宛ての伝言メッセージがある場合（ステップＳ７０１Ｙｅｓ）、制御回路１は、メモリ回路４内の空いているエリアに当該伝言メッセージを登録する（ステップＳ７０２）。そして、制御回路１は、メモリ回路４内の空いている他のエリアに当該伝言メッセージの預かり日時を登録する（ステップＳ７０３）。このようにして、ホームゲートウェイ装置２００は、ユーザ宛ての伝言メッセージを保存する。
【００５３】
続いて、制御回路１は、ＬＥＤ制御回路１１にＬＥＤ１４の緑点滅を指示する。ＬＥＤ制御回路１１は、制御回路１の指示に応じてＬＥＤ１４を緑点滅する（ステップＳ７０４）。ユーザは、ＬＥＤ１４の緑点滅を確認することによって、ホームゲートウェイ装置２００に伝言メッセージが保存されていることを認識する。
【００５４】
次に、ユーザ宛てに他の伝言メッセージが災害用伝言サーバ３０３にあるか否かを確認する（ステップＳ７０５）。なお、ステップＳ７０１においてユーザ宛ての伝言メッセージがなかった場合（ステップＳ７０１Ｎｏ）も、ステップＳ７０５を行う。ユーザ宛てに他の伝言メッセージがある場合（ステップＳ７０５Ｙｅｓ）、ステップＳ７０２〜ステップＳ７０４を再び行うことによって当該他の伝言メッセージを保存する。このように、メモリ回路４は、第１の実施形態において説明したメッセージ保存部１０２として動作する。
【００５５】
ユーザ宛てに他の伝言メッセージがない場合（ステップＳ７０５Ｎｏ）、ＳＩＰ制御回路３は、災害用伝言サーバ３０３との通信を切断する（ステップＳ７０６）。具体的には、ＳＩＰ制御回路３は、ＳＩＰサーバ３０２にＢＹＥメッセージを送信し、当該ＢＹＥメッセージに対してＳＩＰサーバ３０２から送信されるＡＣＫメッセージを受信することによって、災害用伝言サーバ３０３との通信を切断する。
【００５６】
次に、図９を参照して、メモリ回路４に保存された伝言メッセージを再生する際における第２の実施形態に係るホームゲートウェイ装置の動作を説明する。図９は、スピーカから伝言メッセージを再生する際における、第２の実施形態に係るホームゲートウェイ装置の動作例を示すフローチャートである。メモリ回路４に保存された伝言メッセージを再生する際には、まず、ユーザが再生用のボタン１３を押す。
【００５７】
ボタン制御回路１０は、ユーザが再生用のボタン１３を押すと、当該ボタン１３が押されてＯＮになったことを検出する（ステップＳ８０１）。次に、制御回路１は、メモリ回路４に伝言メッセージが保存されているか否かを判断する（ステップＳ８０２）。メモリ回路４に伝言メッセージが保存されていない場合（ステップＳ８０２Ｎｏ）、伝言メッセージの再生を終了する。
【００５８】
メモリ回路４に伝言メッセージが保存されている場合（ステップＳ８０２Ｙｅｓ）、音声検出再生回路５は、スピーカ１２からメモリ回路４に保存されている伝言メッセージを再生する（ステップＳ８０３）。続いて、音声検出再生回路５は、スピーカ１２からメモリ回路４に保存されている預かり日時を再生する（ステップＳ８０４）。次に、制御回路１は、メモリ回路４に他の伝言メッセージが保存されているか否かを確認する（ステップＳ８０５）。
【００５９】
メモリ回路４に他の伝言メッセージが保存されている場合（ステップＳ８０５Ｙｅｓ）、ステップＳ８０３〜ステップＳ８０５を再び行うことによって、当該他の伝言メッセージをスピーカ１２から再生する。メモリ回路４に他の伝言メッセージが保存されていない場合（ステップＳ８０５Ｎｏ）、伝言メッセージの再生を終了する。このようにして、ホームゲートウェイ装置２００は、メモリ回路４に保存された全ての伝言メッセージをユーザの操作に応じて再生する。この場合、スピーカ１２は、第１の実施形態において説明したメッセージ再生部１０３として動作する。
【００６０】
図９を参照して説明した例では、ホームゲートウェイ装置２００が備えるスピーカ１２から伝言メッセージを再生する場合について説明したが、アナログ電話装置３０４から当該伝言メッセージは、再生してもよい。図１０を参照して、アナログ電話装置３０４から伝言メッセージを再生する際における第２の実施形態に係るホームゲートウェイ装置の動作を説明する。図１０は、アナログ電話装置から伝言メッセージを再生する際における、第２の実施形態に係るホームゲートウェイ装置の動作例を示すフローチャートである。
【００６１】
アナログ電話装置３０４から伝言メッセージを再生する際には、まず、ユーザがアナログ電話装置３０４の受話器を持ち、再生用のボタン１３を押す。アナログ制御回路８は、ユーザが受話器を持つと、アナログ電話装置３０４のオフフックを検出する（ステップＳ９０１）。ボタン制御回路１０は、ユーザが再生用のボタン１３を押すと、当該ボタン１３が押されてＯＮになったことを検出する（ステップＳ９０２）。次に、制御回路１は、メモリ回路４に伝言メッセージが保存されているか否かを判断する（ステップＳ９０３）。
【００６２】
メモリ回路４に伝言メッセージが保存されている場合（ステップＳ９０３Ｙｅｓ）、制御回路１は、アナログ電話装置３０４とメモリ回路４との通話パスを接続する（ステップＳ９０４）。そして、音声検出再生回路５は、アナログ電話装置３０４の受話器からメモリ回路４に保存されている伝言メッセージを再生する（ステップＳ９０５）。続いて、音声検出再生回路５は、アナログ電話装置３０４の受話器からメモリ回路４に保存されている預かり日時を再生する（ステップＳ９０６）。次に、制御回路１は、メモリ回路４に他の伝言メッセージが保存されているか否かを確認する（ステップＳ９０７）。
【００６３】
メモリ回路４に他の伝言メッセージが保存されている場合（ステップＳ９０７Ｙｅｓ）、ステップＳ９０５〜ステップＳ９０６を再び行うことによって、当該他の伝言メッセージをアナログ電話装置３０４の受話器から再生する。ステップＳ９０７においてメモリ回路４に他の伝言メッセージが保存されていない場合（ステップＳ９０７Ｎｏ）、音声検出再生回路５は、未再生の伝言メッセージがない旨を伝えるガイダンスをアナログ電話装置３０４の受話器から再生する（ステップＳ９０８）。そして、制御回路１は、アナログ電話装置３０４とメモリ回路４との通話パスを切断し（ステップＳ９０９）、ビジートーンをアナログ電話装置３０４の受話器に流す。アナログ電話装置３０４はオンフックされると、ビジートーンを停止する。
【００６４】
ステップＳ８０２においてメモリ回路４に伝言メッセージが保存されていない場合（ステップＳ８０２Ｎｏ）、ステップＳ９０７においてメモリ回路４に他の伝言メッセージが保存されていない場合（ステップＳ９０７Ｎｏ）と同様に、ステップＳ９０８〜ステップＳ９０９を行う。このようにして、ホームゲートウェイ装置２００は、アナログ電話装置３０４から伝言メッセージを再生することができる。この場合、アナログ電話装置３０４の受話器は、第１の実施形態において説明したメッセージ再生部１０３として動作する。
【００６５】
次に、図１１を参照して、メモリ回路４に保存された伝言メッセージを消去する際における第２の実施形態に係るホームゲートウェイ装置の動作を説明する。図１１は、伝言メッセージを消去する際における、第２の実施形態に係るホームゲートウェイ装置の動作例を示すフローチャートである。メモリ回路４に保存された伝言メッセージを消去する際には、まず、ユーザが消去用のボタン１３を押す。
【００６６】
ボタン制御回路１０は、ユーザが消去用のボタン１３を押すと、当該ボタン１３が押されてＯＮになったことを検出する（ステップＳ１００１）。次に、制御回路１は、メモリ回路４に伝言メッセージが保存されているか否かを判断する（ステップＳ１００２）。
【００６７】
メモリ回路４に伝言メッセージが保存されている場合（ステップＳ１００２Ｙｅｓ）、制御回路１は、メモリ回路４に保存されている伝言メッセージを消去する（ステップＳ１００３）。続いて、制御回路１は、メモリ回路４に保存されている預かり日時を消去する（ステップＳ１００４）。次に、制御回路１は、メモリ回路４に他の伝言メッセージが保存されているか否かを確認する（ステップＳ１００５）。
【００６８】
メモリ回路４に他の伝言メッセージが保存されている場合（ステップＳ１００５Ｙｅｓ）、ステップＳ１００３〜ステップＳ１００５を再び行うことによって、当該他の伝言メッセージをスピーカ１２から消去する。メモリ回路４に他の伝言メッセージが保存されていない場合（ステップＳ１００５Ｎｏ）、音声検出再生回路５は、伝言メッセージを全て消去した旨を伝えるガイダンスをスピーカ１２から再生する（ステップＳ１００６）。そして、ＬＥＤ制御回路１１は、ＬＥＤ１４を消灯する（ステップＳ１００７）。
【００６９】
ステップＳ１００２においてメモリ回路４に伝言メッセージが保存されていない場合（ステップＳ１００２Ｎｏ）、ステップＳ１００５においてメモリ回路４に他の伝言メッセージが保存されていない場合（ステップＳ１００５Ｎｏ）と同様に、ステップＳ１００６〜ステップＳ１００７を行う。このようにして、ホームゲートウェイ装置２００は、アナログ電話装置３０４から伝言メッセージをユーザの操作に応じて消去することができる。この場合、消去用のボタン１３は、第１の実施形態において説明したメッセージ消去部として動作する。
【００７０】
（他の実施の形態等）
例えば、上述の実施形態のそれぞれにおいて、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラム等によって実現される。したがって、これらの機能ブロックがハードウェアのみ、ソフトウェアのみ、又はそれらの組合せによっていろいろな形で実現できることは当業者には理解されるところであり、いずれかに限定されるものではない。
【００７１】
上述したプログラムは、様々なタイプの非一時的なコンピュータ可読媒体（non-transitory computer readable medium）を用いて格納され、コンピュータ（情報通知装置を含むコンピュータ）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７２】
さらに、上述した実施形態において、伝言メッセージ確認システム３００における処理の手順を説明したように、本開示は伝言メッセージ確認方法としての形態も採り得る。この伝言メッセージ確認方法の一例は、ホームゲートウェイ装置１００が、停電復旧時に自動で災害用伝言サーバ３０３への発信をアナログ電話装置３０４に指示する工程と、アナログ電話装置３０４が、ホームゲートウェイ装置１００からの指示を受けてＳＩＰサーバ３０２を介して災害用伝言サーバ３０３に発信する工程と、ホームゲートウェイ装置１００が、災害用伝言サーバ３０３から再生された伝言メッセージを保存する工程と、アナログ電話装置３０４が、ユーザの操作に応じてホームゲートウェイ装置１００に保存された前記伝言メッセージを再生する工程と、を含む。なお、その他の例については、上述した実施の形態で説明した通りである。また、上述のプログラムは、伝言メッセージ確認システム３００が備えるホームゲートウェイ装置１００にこのような伝言メッセージ確認方法を実行させるためのプログラムであると言える。
【００７３】
なお、本発明は上記実施の形態に限られたものではなく、趣旨を逸脱しない範囲で適宜変更することが可能である。
【符号の説明】
【００７４】
１  制御回路
２  回線制御回路
３  ＳＩＰ制御回路
４  メモリ回路
５  音声検出再生回路
６  ＤＴＭＦ制御回路
７  タイマ
８  アナログ制御回路
９  通信制御回路
１０  ボタン制御回路
１１  ＬＥＤ制御回路
１２  スピーカ
１３  ボタン
１００、２００  ホームゲートウェイ装置
１０１  発信指示部
１０２  メッセージ保存部
１０３  メッセージ再生部
３００  伝言メッセージ確認システム
３０１  通信網
３０２  ＳＩＰサーバ
３０３  災害用伝言サーバ
３０４  アナログ電話装置
【図１】
0006962591.tif 000002
【図２】
0006962591.tif 000003
【図３】
0006962591.tif 000004
【図４】
0006962591.tif 000005
【図５】
0006962591.tif 000006
【図６】
0006962591.tif 000007
【図７】
0006962591.tif 000008
【図８】
0006962591.tif 000009
【図９】
0006962591.tif 000010
【図１０】
0006962591.tif 000011
【図１１】
0006962591.tif 000012